【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
（Ａ）ポリブチレンテレフタレート樹脂、またはポリブチレンテレフタレート樹脂とポリエチレンテレフタレート樹脂の合計１００重量部に対して、（Ｂ）リン酸エステル系化合物１〜１００重量部、（Ｃ）断面積が２×１０−５〜８×１０−３ｍｍ２で、かつ長さ方向に直角の断面の長径（断面の最長の直線距離）と短径（長径と直角方向の最長の直線距離）の比が１．３〜１０の間である、繭形または扁平な断面形状を有するガラス繊維１〜１００重量部および（Ｆ）３つ以上の官能基を有する化合物０．０１〜５重量部を配合してなる難燃性樹脂組成物。
【請求項２】
（Ｆ）３つ以上の官能基を有する化合物がアルキレンオキシド単位を一つ以上含むことを特徴とする請求項１に記載の難燃性樹脂組成物。
【請求項３】
さらに（Ｅ）ポリカーボネート樹脂、ポリフェニレンオキサイド樹脂、ＡＳ樹脂、ＡＢＳ樹脂、ポリアリレート樹脂、ポリサルホン樹脂、ポリエーテルサルホン樹脂、ポリエーテルイミド樹脂、ポリアミドイミド樹脂、塩化ビニル樹脂、ポリエーテルエーテルケトン樹脂およびメタクリル樹脂から選択される少なくとも１種以上の熱可塑性樹脂を１〜２００重量部配合してなる請求項１または２に記載の難燃性樹脂組成物。
【請求項４】
さらに（Ｄ）トリアジン系化合物とシアヌール酸またはイソシアヌール酸との塩を１〜１００重量部配合してなる請求項１〜３のいずれかに記載の難燃性樹脂組成物。
【請求項５】
（Ｆ）３つ以上の官能基を有する化合物の官能基が水酸基、カルボキシル基、アミノ基、グリシジル基、イソシアネート基、エステル基、アミド基から選択される少なくとも１種の基であることを特徴とする請求項１〜４のいずれかに記載の難燃性樹脂組成物。
【手続補正２】
【補正対象書類名】明細書
【補正対象項目名】０００４
【補正方法】変更
【補正の内容】
【０００４】
また、寸法精度向上のためには、特許文献２に示すように、ＰＢＴ樹脂に扁平な断面形状であるガラス繊維および、粉粒状および／または板状の無機充填材を添加する樹脂組成物が提案されているが、低そり性は良好であるものの、また流動性を十分に確保できなかった。
【特許文献１】特開２００２−２９４０４９号公報
【特許文献２】特開平７−３０９９９９号公報
【手続補正３】
【補正対象書類名】明細書
【補正対象項目名】０００６
【補正方法】変更
【補正の内容】
【０００６】
すなわち、本発明は、以下のとおりである。
（１）（Ａ）ポリブチレンテレフタレート樹脂、またはポリブチレンテレフタレート樹脂とポリエチレンテレフタレート樹脂の合計１００重量部に対し、（Ｂ）リン酸エステル系化合物１〜１００重量部、（Ｃ）断面積が２×１０−５〜８×１０−３ｍｍ２で、かつ長さ方向に直角の断面の長径（断面の最長の直線距離）と短径（長径と直角方向の最長の直線距離）の比が１．３〜１０の間である、繭形または扁平な断面形状を有するガラス繊維１〜１００重量部および（Ｆ）３つ以上の官能基を有する化合物０．０１〜５重量部を配合してなる難燃性樹脂組成物。
（２）（Ｆ）３つ以上の官能基を有する化合物がアルキレンオキシド単位を一つ以上含むことを特徴とする（１）のいずれかに記載の難燃性樹脂組成物。
（３）さらに（Ｅ）ポリカーボネート樹脂、ポリフェニレンオキサイド樹脂、ＡＳ樹脂、ＡＢＳ樹脂、ポリアリレート樹脂、ポリサルホン樹脂、ポリエーテルサルホン樹脂、ポリエーテルイミド樹脂、ポリアミドイミド樹脂、塩化ビニル樹脂、ポリエーテルエーテルケトン樹脂およびメタクリル樹脂から選択される少なくとも１種以上の熱可塑性樹脂を１〜２００重量部配合してなる（１）または（２）に記載の難燃性樹脂組成物。
（４）さらに（Ｄ）トリアジン系化合物とシアヌール酸またはイソシアヌール酸との塩を１〜１００重量部配合してなる（１）〜（４）のいずれかに記載の難燃性樹脂組成物。
（５）（Ｆ）３つ以上の官能基を有する化合物の官能基が水酸基、カルボキシル基、アミノ基、グリシジル基、イソシアネート基、エステル基、アミド基から選択される少なくとも１種の基であることを特徴とする（１）〜（５）のいずれかに記載の難燃性樹脂組成物。
【手続補正４】
【補正対象書類名】明細書
【補正対象項目名】０１４０
【補正方法】変更
【補正の内容】
【０１４０】
実施例１〜９、比較例１〜２３
（Ａ）成分から（Ｅ）成分、添加剤を表１〜５に示す組み合わせで配合した。各実施例および比較例に記載した材料の製造方法は次の通りである。すなわち、シリンダ温度２６０℃に設定したスクリュー径φ５７ｍｍの２軸押出機を用いて製造した。（Ｃ）以外の（Ａ）〜（Ｅ）成分並びにその他の添加剤全てを元込め部から供給、（Ｃ）成分をサイドフィーダーから供給して溶融混練を行い、ダイスから吐出されたストランドを冷却バス内で冷却した後、ストランドカッターにてペレット化した。
【手続補正５】
【補正対象書類名】明細書
【補正対象項目名】０１４２
【補正方法】変更
【補正の内容】
【０１４２】
比較例２４〜２９
比較例の配合処方を表６のように変更した以外は比較例１と同様にして樹脂組成物を製造した。それらの評価結果を表６に示す。
【手続補正６】
【補正対象書類名】明細書
【補正対象項目名】０１４３
【補正方法】変更
【補正の内容】
【０１４３】
比較例２４はガラス繊維が指定したものと異なるため、流動性、反り性が満足いくものではなかった。
【手続補正７】
【補正対象書類名】明細書
【補正対象項目名】０１４４
【補正方法】変更
【補正の内容】
【０１４４】
比較例２５は指定したリン酸エステル系化合物を配合していないため、難燃性が満足いくものではなかった。
【手続補正８】
【補正対象書類名】明細書
【補正対象項目名】０１４５
【補正方法】変更
【補正の内容】
【０１４５】
比較例２６は指定したガラス繊維を配合していないため、反り性が満足いくものではなかった。
【手続補正９】
【補正対象書類名】明細書
【補正対象項目名】０１４６
【補正方法】変更
【補正の内容】
【０１４６】
比較例２７はリン酸エステル系化合物が指定したものと異なるため、流動性が満足いくものではなかった。
【手続補正１０】
【補正対象書類名】明細書
【補正対象項目名】０１４７
【補正方法】変更
【補正の内容】
【０１４７】
比較例２８はリン酸エステル系化合物が指定した配合量よりも、多いため、成形品表面にブリードし、満足するものが得られなかった。
【手続補正１１】
【補正対象書類名】明細書
【補正対象項目名】０１４８
【補正方法】変更
【補正の内容】
【０１４８】
比較例２９はガラス繊維が指定した配合量よりも多いため、流動性が満足いくものではなかった。
【手続補正１２】
【補正対象書類名】明細書
【補正対象項目名】０１４９
【補正方法】変更
【補正の内容】
【０１４９】
【表１】
2009096969.tif 000001
【手続補正１３】
【補正対象書類名】明細書
【補正対象項目名】０１５０
【補正方法】変更
【補正の内容】
【０１５０】
【表２】
2009096969.tif 000002
【手続補正１４】
【補正対象書類名】明細書
【補正対象項目名】０１５１
【補正方法】変更
【補正の内容】
【０１５１】
【表３】
2009096969.tif 000003
【手続補正１５】
【補正対象書類名】明細書
【補正対象項目名】０１５２
【補正方法】変更
【補正の内容】
【０１５２】
【表４】
2009096969.tif 000004
【手続補正１６】
【補正対象書類名】明細書
【補正対象項目名】０１５３
【補正方法】変更
【補正の内容】
【０１５３】
【表５】
2009096969.tif 000005
【手続補正１７】
【補正対象書類名】明細書
【補正対象項目名】０１５４
【補正方法】変更
【補正の内容】
【０１５４】
【表６】
2009096969.tif 000006